(57)【要約】【課題】  本発明は病院等において救急搬送された患者に対して使用する枕であり、特に患者に合わせて容易に枕の高さを最適な位置に調整できる救急用高さ調整枕に関する。【解決手段】  救急を要する医療の現場において使用される救急用の高さ調整枕であり、所定の高さを有する複数の枕と、この複数の枕の夫々を包むと共に上記複数の枕を接合する枕カバーとを備え、上記複数の枕は接合部を介して複数段に折り畳まれ、この折り畳まれた複数の枕を順次展開することによって枕の高さを調整することを特徴とする。【選択図】  図１
2019041814.tif 000002
【特許請求の範囲】
【請求項１】
所定の高さを有する複数の枕と、
前記複数の枕の夫々を包むと共に前記複数の枕を接合する枕カバーと、を備え、
前記複数の枕は前記接合部を介して複数段に折り畳まれ、該折り畳まれた前記複数の枕を順次展開することによって枕の高さを調整することを特徴とする救急用高さ調整枕。
【請求項２】
前記複数の枕はポリウレタンフレームで構成され、前記枕カバーは発泡性生地で構成されていることを特徴とする請求項１に記載の救急用高さ調整枕。
【請求項３】
前記複数の枕は枕カバーに貼着、又は縫着されていることを特徴とする請求項１、又は２に記載の救急用高さ調整枕。
【請求項４】
救急を要する医療の現場において使用されることを特徴とする請求項１、２、又は３に記載の救急用高さ調整枕。
【発明の詳細な説明】
【技術分野】
【０００１】
本発明は、例えば救急搬送された患者に対して病院で使用する救急用の枕であり、特に患者に合わせて容易に枕の高さを最適な位置に調整できる救急用高さ調整枕に関する。
【背景技術】
【０００２】
今日枕の高さは重要であり、個々人に最適な高さがあり、例えば寝つきの良さや快適な眠りを得る為に枕の高さは重要である。しかし、現在市販されている枕は所定の高さを備え、高さが合わない枕を使う場合にはタオル等の詰め物を使用して調整を行っている。自宅で使用する枕については個々人が自分に合った最適な高さの枕を購入して使用することができるが、自宅以外、例えば旅館や病院等で使用する枕については自分に合った高さの枕を使用することができない。
【０００３】
特に病院の場合、通常の入院であれば上記のように、タオル等の詰め物を使って枕の高さ調整を行うことも可能である。しかし、例えば救急搬送されたような場合、一定の高さの枕が使用され、患者に合わせた高さの枕が使用されることはない。また、患者の治療内容によって、例えば頭の高さを調整する場合には上記のような詰め物等を使って対応している。
【０００４】
尚、高さ調整枕として、特許文献１が提案されている。図７はこの特許文献１に開示された高さ調整枕を説明する図である。この特許文献１に開示された発明は、所定の傾斜を備えた枕本体２１を雌ネシ付きの枕本体支持枠２２に取り付け、雄ネシ２３を雌ネジが設けられた枕本体支持枠２２を通して、台枠２４に取り付けた構造である。そして、枕本体２１の高さを調整する場合、左右の雄ネシ２３を操作して行う。
【先行技術文献】
【特許文献】
【０００５】
【特許文献１】特開２００２−１０２０３９号公報
【発明の概要】
【発明が解決しようとする課題】
【０００６】
しかしながら、従来の高さ調整枕では、枕の高さを調整する際、上記のように左右の雄ネシ２３を操作して行う必要があり、緊急を要する医療の現場では時間を要する作業となる。また、上記の高さ調整枕では、枕の左右に雄ネシ（ボルト）２３が位置し、更に枕の左右には枕本体支持枠２２が設けられている。これらの部材としては一般的に金属が使用されるが、例えば金属を使用しないとしても、強化プラスティク等のある程度強度を備えた材料が使用され、患者の治療に支障をきた。
【０００７】
そこで、本発明は上記課題を解決するため、治療に緊急を要する医療現場においても、極めて簡単に短時間で患者に合わせて枕の高さを調整することができる救急用高さ調整枕を提供するものである。また、本発明は上記従来のように患者の頭部付近に硬い突起物等が位置することなく、患者の治療に支障をきたすことがない。
【課題を解決するための手段】
【０００８】
本発明は上記課題を解決するため、救急を要する医療現場において使用される救急用の高さ調整枕であり、所定の高さを有する複数の枕と、この複数の枕の夫々を包むと共に上記複数の枕を接合する枕カバーとを備え、上記複数の枕は接合部を介して複数段に折り畳まれ、この折り畳まれた複数の枕を順次展開することによって枕の高さを調整することを特徴とする。
【０００９】
また、上記複数の枕は、例えばポリウレタンフレーム等で構成され、上記枕カバーは例えば発泡性生地等で構成されている。
【００１０】
また、上記複数の枕は枕カバーに貼着、又は縫着されていることを特徴とする。
【発明の効果】
【００１１】
本発明によれば、例えば治療に緊急を要する医療現場においても、極めて簡単に短時間で患者に合わせて枕の高さを調整することができ、例えば折り畳まれた複数の枕を順次広げるだけの簡単な作業によって、短時間で枕を患者に合わせて最適な高さに調整することができる。
【図面の簡単な説明】
【００１２】
【図１】本実施形態の救急用高さ調整枕の全体構成図である。
【図２】高さ調整枕の構造を説明する高さ調整枕の展開図である。
【図３】。  本実施形態の複数の枕のサイズを説明する図である。
【図４】患者や治療内容によって枕を低い状態に設定した場合の設定例を示す図である。
【図５】本実施形態の救急用高さ調整枕を患者に使用する例を説明する図である。
【図６】患者や治療内容によって枕を更に低い状態に設定した場合の設定例を示す図である。
【図７】従来の高さ調整枕の例を示す図である。
【発明を実施するための最良の形態】
【００１３】
以下、本発明の実施の形態について図面を参照しながら説明する。
図１は本実施形態の救急用高さ調整枕の構成図である。本例で説明する救急用高さ調整枕（以下、単に高さ調整枕で示す）１は、同図に示すように３つの枕１ａ〜１ｃを折り畳んで重ね合わせた構成であり、夫々の枕１ａ〜１ｃは接合部２において接合され、一体の高さ調整枕１として機能する。
【００１４】
図２は本例の高さ調整枕１の構造を説明する展開図である。同図に示すように、高さ調整枕１を構成する各枕１ａ〜１ｃは接合部２において接合され、枕１ａと１ｂは接合部２ａにおいて接合され、枕１ｂと１ｃは接合部２ｂにおいて接合されている。
【００１５】
ここで、各枕１ａ〜１ｃは同じ構造であり、例えば内部の枕本体はポリウレタンフォームが使用されている。特に軟質フォームを使用する場合、軽く、クッション性や耐久性に優れた枕として使用することができる。また、ポリウレタンフォームの硬さのバリエーションは豊富であり、枕として最適な硬さの設定も可能である。例えば、一般の医療用枕と同等の硬さに設定することも容易であり、更に患者の状態や治療内容によって硬さの調整もできる。
【００１６】
また、本例の高さ調整枕１は枕用カバー３によって覆われている。この枕用カバー３は撥水性の生地で構成され、例えば布や織物等の生地の表面をシリコンやフッ素系撥水剤でコーティングされている。尚、本例の枕用カバー３は上記枕１ａ〜１ｃ全体で同じ材料が使用され、接合部２ａ、２ｂについても同じ材料が使用されている。したがって、本例の高さ調整枕１の制作においては、夫々単体の枕１ａ〜１ｃを同じ枕用カバー３（３ａ〜３ｃ）によって包み込み作成されている。
【００１７】
尚、本例で使用する各枕１ａ〜１ｃの大きさは、図３に示すように、例えば厚さが３０ｍｍ、幅が１００ｍｍ、長さが２００ｍｍであり、従って図１に示す高さ調整枕１の高さは全体で６０ｍｍに設定される。
【００１８】
上記図１及び図４〜図６は上記構成の高さ調整枕１を使用する場合の例を示す図である。
先ず、図１に示す枕の状態は、最も高い状態で高さ調整枕１を使用する場合であり、上記のように高さ６０ｍｍで使用する場合である。
【００１９】
一方、図４に示す枕の状態は患者や治療内容によって枕を図１に示す状態より低い状態に設定した場合である。この場合、高さ調整枕１の高さは４０ｍｍであり、３個の枕１ａ〜１ｃが重なって折り畳まれた状態から枕１ｃのみを拡げる簡単な作業によって設定できる。尚、図５この状態の高さ調整枕１を患者に使用した場合の例であり、患者４の頭部５をこの高さ調整枕１に載せた状態を示す。
【００２０】
また、図６は更に枕を図４（図５）に示す状態より低い状態に設定した場合である。この場合、高さ調整枕１の高さは２０ｍｍであり、例えば患者が子供の場合や治療内容によって枕の高さを最も低い状態に設定した場合である。この場合も重なった２個の枕１ａと１ｂを更に拡げる簡単な作業によって設定できる。
【００２１】
すなわち、本発明の高さ調整枕１は簡単な作業よって図１に示す３個の枕１ａ〜１ｃが重なった高さ６０ｍｍの状態から図４に示す高さ４０ｍｍの枕の状態、更には図６に示す高さ２０ｍｍの枕の状態に簡単に設定することができる。さらに、折り畳まれた３個の枕１ａ〜１ｃを順次広げるだけの作業によって、短時間で患者や治療内容に対応した最適な高さに調整することができる。
【００２２】
尚、上記実施例の高さ調整枕１の説明では、３個の枕１ａ〜１ｃを使用したが、本発明の高さ調整枕は３個の枕を使用する場合に限らず、例えば２個、又は４個以上の枕を折り畳んで使用する場合でも同様に適用できる。また、各枕の高さも２０ｍｍに限らず、１０ｍｍ、１５ｍｍ等の任意の高さに設定可能であり、更に各枕の高さをそれぞれ異なる高さの設定としてもよく、より詳細に患者に合わせた枕の高さの設定が可能である。
【００２３】
また、枕１ａ〜１ｃの材料もポリウレタンフレームに限定されるものではなく、枕カバー３についても発泡性生地に限定されるものではなく、同様な素材であれば適用可能である。
【００２４】
また、枕１ａ〜１ｃの接合部についても補強の為、例えば２重構造にする場合や特別な補強材を使用するようにしてもよい。
【符号の説明】
【００２５】
１・・・救急用高さ調整枕
１ａ〜１ｃ・・枕
２・・・接合部
２ａ、２ｂ・・接合部
３・・・枕カバー
３ａ、３ｂ・・枕カバー
４・・・患者
５・・・頭部
【図１】
2019041814.tif 000003
【図２】
2019041814.tif 000004
【図３】
2019041814.tif 000005
【図４】
2019041814.tif 000006
【図５】
2019041814.tif 000007
【図６】
2019041814.tif 000008
【図７】
2019041814.tif 000009